【手続補正書】
【提出日】平成22年11月29日(2010.11.29)
【手続補正１】
【補正対象書類名】特許請求の範囲
【補正対象項目名】全文
【補正方法】変更
【補正の内容】
【特許請求の範囲】
【請求項１】
配信サーバよりファームウェア及び前記ファームウェアをアップロードする画像処理装置のファームウェア情報を受信するファームウェア情報受信手段と、
前記ファームウェア情報受信手段で受信されたファームウェア情報に基づいて、前記ファームウェアのアップロードに関する属性情報の選択肢を含む画面を表示装置に表示するよう制御する表示制御手段と、
前記画面において選択された属性情報に応じたコマンドを作成するコマンド作成手段と、
を有することを特徴とする情報処理装置。
【請求項２】
前記表示制御手段は、前記ファームウェアのアップロードに関して、手動か、又は自動かを選択させる第一の選択肢を含む画面を表示装置に表示するよう制御すると共に、前記第一の選択肢において手動が選択された場合、前記ファームウェアをユーザによるアップロードか、又はサービスマンによるアップロードかを選択させる第二の選択肢を前記画面に表示するよう制御することを特徴とする請求項１に記載の情報処理装置。
【請求項３】
前記表示制御手段は、前記第一の選択肢において手動が選択された場合、画像処理装置におけるファームウェアのアップロードに係るガイダンス表示に関して、ガイダンス表示ありか、又はなしかを選択させる第三の選択肢を更に前記画面に表示するよう制御することを特徴とする請求項２に記載の情報処理装置。
【請求項４】
前記コマンド作成手段は、前記第一の選択肢において自動が選択された場合、画像処理装置におけるファームウェアの自動アップロードに関するコマンドを作成することを特徴とする請求項２又は３に記載の情報処理装置。
【請求項５】
前記コマンド作成手段は、前記第二の選択肢においてサービスマンによるアップロードが選択され、前記第三の選択肢においてガイダンス表示なしが選択された場合、画像処理装置におけるリブート保留に関するコマンドを作成することを特徴とする請求項３に記載の情報処理装置。
【請求項６】
前記コマンド作成手段は、前記第二の選択肢においてサービスマンによるアップロードが選択され、前記第三の選択肢においてガイダンス表示ありが選択された場合、画像処理装置におけるガイダンス表示に関するコマンド及びリブート保留に関するコマンドを作成することを特徴とする請求項３に記載の情報処理装置。
【請求項７】
前記コマンド作成手段において作成されたコマンドを含む、前記ファームウェアのアップロードに関する指示情報を作成する指示情報作成手段を更に有することを特徴とする請求項１乃至６の何れか1項に記載の情報処理装置。
【請求項８】
ネットワークを介して通信可能な情報処理装置よりファームウェアのアップロードに関する指示情報を取得する指示情報取得手段と、
前記指示情報に応じて、ファームウェアを配信する配信装置よりファームウェアを取得するファームウェア取得手段と、
前記指示情報に含まれる、ファームウェアのアップロードに関する属性情報に応じたコマンドがファームウェアの適用のためのリブートの保留に関するコマンドを含んでいることが判明したとき、前記ファームウェアの適用のためのリブートを保留し、画像処理装置に対するファームウェア適用のためのリブート指示があったことが判明したとき、ファームウェアの適用のためのリブートを実行するアップロード処理手段と、
を有することを特徴とする画像処理装置。
【請求項９】
前記アップロード処理手段は、前記コマンドが、画像処理装置におけるファームウェアの自動アップロードに関するコマンドであった場合、前記ファームウェア取得手段において取得したファームウェアを自動でアップロードすることを特徴とする請求項８に記載の画像処理装置。
【請求項１０】
前記アップロード処理手段は、前記コマンドが、リブート保留に関するコマンドであった場合、前記ファームウェア取得手段において取得したファームウェアのアップロードに関するリブートを保留することを特徴とする請求項８に記載の画像処理装置。
【請求項１１】
前記アップロード処理手段は、前記コマンドが、ガイダンス表示に関するコマンドであった場合、前記ファームウェア取得手段において取得したファームウェアのアップロードに関するガイダンスを表示装置の表示することを特徴とする請求項８に記載の画像処理装置。
【請求項１２】
情報処理装置が実行する情報処理方法であって、
配信サーバよりファームウェア及び前記ファームウェアをアップロードする画像処理装置のファームウェア情報を受信するファームウェア情報受信ステップと、
前記ファームウェア情報受信手段で受信されたファームウェア情報に基づいて、前記ファームウェアのアップロードに関する属性情報の選択肢を含む画面を表示装置に表示するよう制御する表示制御ステップと、
前記画面において選択された属性情報に応じたコマンドを作成するコマンド作成ステップと、
を含むことを特徴とする情報処理方法。
【請求項１３】
前記コマンド作成ステップにおいて作成されたコマンドを含む、前記ファームウェアのアップロードに関する指示情報を作成する指示情報作成ステップを更に含むことを特徴とする請求項１２に記載の情報処理方法。
【請求項１４】
画像処理装置が実行するファームウェアアップロード方法であって、
ネットワークを介して通信可能な情報処理装置よりファームウェアのアップロードに関する指示情報を取得する指示情報取得ステップと、
前記指示情報に応じて、ファームウェアを配信する配信装置よりファームウェアを取得するファームウェア取得ステップと、
前記指示情報に含まれる、ファームウェアのアップロードに関する属性情報に応じたコマンドがファームウェアの適用のためのリブートの保留に関するコマンドを含んでいることが判明したとき、前記ファームウェアの適用のためのリブートを保留し、画像処理装置に対するファームウェア適用のためのリブート指示があったことが判明したとき、ファームウェアの適用のためのリブートを実行するアップロード処理ステップと、
を含むことを特徴とするファームウェアアップロード方法。
【請求項１５】
前記アップロード処理ステップでは、前記コマンドが、画像処理装置におけるファームウェアの自動アップロードに関するコマンドであった場合、前記ファームウェア取得ステップにおいて取得したファームウェアを自動でアップロードすることを特徴とする請求項１４に記載のファームウェアアップロード方法。
【請求項１６】
前記アップロード処理ステップでは、前記コマンドが、リブート保留に関するコマンドであった場合、前記ファームウェア取得ステップにおいて取得したファームウェアのアップロードに関するリブートを保留することを特徴とする請求項１４に記載のファームウェアアップロード方法。
【請求項１７】
前記アップロード処理ステップでは、前記コマンドが、ガイダンス表示に関するコマンドであった場合、前記ファームウェア取得ステップにおいて取得したファームウェアのアップロードに関するガイダンスを表示装置の表示することを特徴とする請求項１４に記載のファームウェアアップロード方法。
【請求項１８】
請求項１２又は１３に記載の情報処理方法の各ステップをコンピュータに実行させることを特徴とするプログラム。
【請求項１９】
請求項１４乃至１７の何れか１項に記載のファームウェアアップロード方法の各ステップをコンピュータに実行させることを特徴とするプログラム。
【請求項２０】
請求項１８又は１９に記載のプログラムを記憶したコンピュータにより読み取り可能な記憶媒体。
【手続補正２】
【補正対象書類名】明細書
【補正対象項目名】０００９
【補正方法】変更
【補正の内容】
【０００９】
また、本発明は、情報処理装置が実行する情報処理方法であって、配信サーバよりファームウェア及び前記ファームウェアをアップロードする画像処理装置のファームウェア情報を受信するファームウェア情報受信ステップと、前記ファームウェア情報受信手段で受信されたファームウェア情報に基づいて、前記ファームウェアのアップロードに関する属性情報の選択肢を含む画面を表示装置に表示するよう制御する表示制御ステップと、前記画面において選択された属性情報に応じたコマンドを作成するコマンド作成ステップと、を含むことを特徴とする。
【手続補正３】
【補正対象書類名】明細書
【補正対象項目名】００１０
【補正方法】変更
【補正の内容】
【００１０】
また、本発明は、画像処理装置が実行するファームウェアアップロード方法であって、ネットワークを介して通信可能な情報処理装置よりファームウェアのアップロードに関する指示情報を取得する指示情報取得ステップと、前記指示情報に応じて、ファームウェアを配信する配信装置よりファームウェアを取得するファームウェア取得ステップと、前記指示情報に含まれる、ファームウェアのアップロードに関する属性情報に応じたコマンドがファームウェアの適用のためのリブートの保留に関するコマンドを含んでいることが判明したとき、前記ファームウェアの適用のためのリブートを保留し、画像処理装置に対するファームウェア適用のためのリブート指示があったことが判明したとき、ファームウェアの適用のためのリブートを実行するアップロード処理ステップと、を含むことを特徴とする。